(57)【要約】      （修正有）【課題】空気調節機による美観の低下を回避し、且つ、空気調節機周辺の空間の有効利用を可能とする、標識用パネル部材を提供する。【解決手段】天井張りの無いスケルトン天井に又は天井張りより下方に突出して装設された空気調節機２に備えられる標識用パネル部材１であって、空気調節機の上面において、空気調節機のほぼ全周囲にわたって立ち配備された複数枚の表示パネルと、複数枚の表示パネルと空気調節機の本体若しくは空気調節機を吊持する構造材とを結合し、そして所望により、複数枚の表示パネル同士を結合し、これらの結合により、複数枚の表示パネルが外向きにパネル面が空気調節機より下方の空間を向いて傾斜する姿勢を保持するようにする姿勢保持手段と、傾斜する姿勢にある複数枚の表示パネルの傾き角度を変更可能にする傾き角度調節手段とを備え、複数枚の表示パネルのうち少なくとも１枚の表示パネルは、標識が付されたパネル。【選択図】図１
2015011264.tif 000002
【特許請求の範囲】
【請求項１】
天井張りの無いスケルトン天井に又は天井張りより下方に突出して装設された空気調節機において備えられる標識用パネル部材であって、
該空気調節機の上面において、同空気調節機のほぼ全周囲にわたって立ち配備された複数枚の表示パネルと、
該複数枚の表示パネルと空気調節機の本体若しくは空気調節機を吊持する構造材とを結合し、そして所望により、該複数枚の表示パネル同士を結合し、これらの結合により、複数枚の表示パネルが外向きにパネル面が空気調節機より下方の空間を向いて傾斜する姿勢を保持するようにする姿勢保持手段と、
傾斜する姿勢にある複数枚の表示パネルの傾き角度を変更可能にする傾き角度調節手段とを備え、前記複数枚の表示パネルのうち少なくとも１枚の表示パネルは、標識が付されたパネルである、標識用パネル部材。
【発明の詳細な説明】
【技術分野】
【０００１】
本発明は、天井張りの無いスケルトン天井に又は天井張りより下方に突出して装設された空気調節機において備えられる標識用パネル部材に関するものであり、詳細には、天井張りの無いスケルトン天井に又は天井張りより下方に突出して装設された空気調節機による美観の低下を回避し且つ空気調節機周辺の空間の有効利用を可能とし得る、標識用パネル部材に関するものである。
【背景技術】
【０００２】
近年、店舗内の空間を開放感のある広い空間にみせるために天井張りの無い、所謂、スケルトン天井とする商業用の店舗が増えている。このような店舗における空気調節機は、スケルトン天井から伸びる吊り棒に、本来天井張りにはめ込んで使用する天井カセット形の空気調節機を直接結合して使用するのが一般的である。
しかし、上記のような空気調節機の装設方法は、雑然とした空気調節機の側面がむき出しになるため、店舗の美観を損ねかねないものであり、また、空気調節機周辺の空間を有効に利用できないという点においても問題があった。
また、空気調節機が、天井張りより下方に突出して装設された場合にも上記と同様の問題が存在する。
【発明の概要】
【発明が解決しようとする課題】
【０００３】
本発明は、上記の問題を解決し得る、即ち、天井張りの無いスケルトン天井に又は天井張りより下方に突出して装設された空気調節機による美観の低下を回避し且つ空気調節機周辺の空間の有効利用を可能とし得る、標識用パネル部材の提供を課題とする。
【課題を解決するための手段】
【０００４】
本発明者は、上記課題を解決するために鋭意検討を行った結果、天井張りの無いスケルトン天井に又は天井張りより下方に突出して装設された空気調節機の上面において、同空気調節機のほぼ全周囲にわたって立ち配備された複数枚の表示パネルを、パネル面が空気調節機より下方の空間を向いて外向きに傾斜する姿勢を保持するが保持できるように配置し、該表示パネルを、空気調節機の本体若しくは空気調節機を吊持する構造材に結合し、その際、表示パネルの傾き角度を調節可能とし、表示パネルのうち少なくとも１枚の表示パネルを避難誘導、行き先案内、催物案内、注意喚起、商品広告や店舗案内等の標識が付された標識パネルとすると、天井張りの無いスケルトン天井に又は天井張りより下方に突出して装設された空気調節機による美観の低下を回避できるだけでなく、店舗に来店した客のための避難誘導、行き先案内、催物案内、注意喚起、商品広告や店舗案内等の標識としても機能するため、空気調節機周辺の空間の有効利用が達成できることを見出し、本発明を完成させた。
【０００５】
即ち、本発明は、
天井張りの無いスケルトン天井に又は天井張りより下方に突出して装設された空気調節機において備えられる標識用パネル部材であって、
該空気調節機の上面において、同空気調節機のほぼ全周囲にわたって立ち配備された複数枚の表示パネルと、
該複数枚の表示パネルと空気調節機の本体若しくは空気調節機を吊持する構造材とを結合し、そして所望により、該複数枚の表示パネル同士を結合し、これらの結合により、複数枚の表示パネルが外向きにパネル面が空気調節機より下方の空間を向いて傾斜する姿勢を保持するようにする姿勢保持手段と、
傾斜する姿勢にある複数枚の表示パネルの傾き角度を変更可能にする傾き角度調節手段とを備え、前記複数枚の表示パネルのうち少なくとも１枚の表示パネルは、標識が付されたパネルである、標識用パネル部材
に関するものである。
【発明の効果】
【０００６】
本発明により、天井張りの無いスケルトン天井に又は天井張りより下方に突出して装設された空気調節機による美観の低下を回避し且つ空気調節機周辺の空間の有効利用を可能とし得る、標識用パネル部材が提供される。
通常、空気調節機は店舗の高い位置にあるため、遠くからでも視認することが可能であり、そのため、本発明の標識用パネル部材は、避難誘導、行き先案内、催物案内、注意喚起、商品広告や店舗案内等の標識として優れたものになり得る。
【０００７】
また、本発明の標識用パネル部材は、傾斜する姿勢にある複数枚の表示パネルの傾き角度を変更可能にする傾き角度調節手段を備えるが、該調節手段を備えることにより、空気調節機が装設される高さに合わせて、店舗に来店した客が視認するのに適する角度に調節できるため、標識としての機能を向上させることができる。
【図面の簡単な説明】
【０００８】
【図１】本発明の標識用パネル部材を空気調節機に配備した際の外観を示す図である。
【図２】本発明の標識用パネル部材の態様（（１ａ）、（１ｂ））を示す図である。
【図３】本発明の標識用パネル部材の別の態様（（１ｃ）、（１ｄ））を示す図である。
【図４】本発明の標識用パネル部材による標識の１例を示す図である。
【図５】本発明の標識用パネル部材を実施した際のイメージ図である。
【発明を実施するための形態】
【０００９】
更に詳細に本発明を説明する。
本発明の天井張りの無いスケルトン天井に又は天井張りより下方に突出して装設された空気調節機において備えられる標識用パネル部材は、
該空気調節機の上面において、同空気調節機のほぼ全周囲にわたって立ち配備された複数枚の表示パネルと、
該複数枚の表示パネルと空気調節機の本体若しくは空気調節機を吊持する構造材とを結合し、そして所望により、該複数枚の表示パネル同士を結合し、これらの結合により、複数枚の表示パネルが外向きにパネル面が空気調節機より下方の空間を向いて傾斜する姿勢を保持するようにする姿勢保持手段と、
傾斜する姿勢にある複数枚の表示パネルの傾き角度を変更可能にする傾き角度調節手段とを備え、前記複数枚の表示パネルのうち少なくとも１枚の表示パネルは、標識が付されたパネルであることを特徴とする。
【００１０】
本発明の標識用パネル部材は、空気調節機の上面において、同空気調節機のほぼ全周囲にわたって立ち配備された複数枚の表示パネルを備える。
本発明の標識用パネル部材に使用する表示パネルとしては、表示パネル板として使用できるものであれば特に限定されないが、例えば、ＡＢＳ樹脂、ＦＲＰ樹脂、メラミン樹脂及びアクリル樹脂等の合成樹脂から形成された板、アルミニウム、アルミ合金、鉄、ステンレス及び銅等の金属から形成された板、木板、ガラス板等が挙げられる。
【００１１】
表示パネルは、空気調節機のほぼ全周囲にわたって立ち配備されるものであるため、その枚数は、空気調節機の周囲を構成する面の数により変化する。
即ち、周囲を構成する面の数が４（即ち、角型）空気調節機であるとき、通常、４枚の表示パネルを使用することになる。
空気調節機の多くは周囲を構成する面の数が４（即ち、角型）の装置であるため、本発明の標識用パネル部材も４枚の表示パネルで構成されることが多くなる。
表示パネルの大きさは、空気調節機のほぼ全周囲にわたって立ち配備できる長さ及び高さを有するものであり、また、その長さは、容易に落下しないように、空気調節機の下部のパネルの長さよりも短いものとするのが好ましい。
【００１２】
本発明の標識用パネル部材は、所望により、該複数枚の表示パネル同士を結合し、これらの結合により、複数枚の表示パネルが外向きにパネル面が空気調節機より下方の空間を向いて傾斜する姿勢を保持するようにする姿勢保持手段を備える。
上記の姿勢保持手段を備えることにより、本発明の標識用パネル部材は、例えば、図１に示されるように、スケルトン天井又は天井張りに空気調節機２を固定するための構造材、例えば、吊り棒３により吊持された空気調節機２のほぼ全周囲にわたって立ち配備されるが、その際、上記複数枚の表示パネルが外向きにパネル面が空気調節機より下方の空間を向いて傾斜する姿勢を保持するように配置される。
該姿勢手段としては、複数枚の表示パネルが外向きにパネル面が空気調節機より下方の空間を向いて傾斜する姿勢を保持できる手段であれば特に限定されないが、例えば、複数枚の表示パネルを、パネル面が下方の空間を向いて外向きに傾斜できるように複数枚の表示パネルを固定具等で繋いだり、複数枚の表示パネルを同士を結合すること等が挙げられる。
【００１３】
具体的な姿勢手段としては、例えば、図２の（１ａ）で示されるような、マチ部６を介して複数枚（４枚）の表示パネル５同士を結合する態様や、図２の（１ｂ）で示されるような、固定具７で複数枚（４枚）の表示パネル５を繋ぐ態様等が挙げられる。
尚、固定具７としては、樹脂製又は金属製の鎖や樹脂製又は金属製の棒等を用いることができる。
上記のような姿勢手段を有することにより、複数枚の表示パネルは、パネル面が下方の空間を向いて外向きに傾斜することになるが、これにより、下から見上げた際に、表示パネルに付された、避難誘導、行き先案内、催物案内、注意喚起、商品広告や店舗案内等の標識内容を視認するのに適するものになる。
【００１４】
また、本発明の標識用パネル部材は、傾斜する姿勢にある複数枚の表示パネルの傾き角度を変更可能にする傾き角度調節手段とを備える。
傾き角度調節手段としては、例えば、図３の（１ｃ）で示されるように、複数枚（４枚）の表示パネル５の間に折畳構造８を導入して複数枚（４枚）の表示パネルの傾き角度を調節可能にする態様や、図３の（１ｄ）で示されるように、複数枚（４枚）の表示パネル５の間に蛇腹構造９を導入して複数枚（４枚）の表示パネルの傾き角度を調節可能にする態様等が挙げられる。
上記の態様により、空気調節機が設置される高さに合わせて、店舗に来店した客が視認するのに適する角度に調節できるため、標識としての機能を向上させることができる。
【００１５】
本発明の標識用表示パネル部材は、該複数枚の表示パネルと空気調節機の本体若しくは空気調節機を吊持する構造材とを結合する。
上述のように、通常、表示パネルの長さは、容易に落下しないように、空気調節機の下部のパネルの長さよりも短いものとするため、構造上落下の危険性は低いが、更に安全性を高めるための２重の安全対策として、該複数枚の表示パネルと空気調節機の本体若しくは空気調節機を吊持する構造材とを結合しておくものである。
結合する方法としては、表示パネル５の少なくとも１枚と、空気調節機を吊持する構造材、例えば、スケルトン天井から延びる吊り棒の少なくとも１本又は空気調節機の本体とを、例えば、樹脂製又は金属製の鎖を使用して結合する態様或いは、上述した、マチ部６、固定具７、折畳構造８又は蛇腹構造９の少なくとも１箇所と空気調節機を吊持する構造
材、例えば、スケルトン天井から延びる吊り棒の少なくとも１本又は空気調節機の本体とを、例えば、樹脂製又は金属製の鎖を使用して結合する態様等が挙げられる。
上記の態様において、表示パネル５のうちの２枚とスケルトン天井から延びる吊り棒２本を結合する態様が好ましく、また、マチ部６、固定具７、折畳構造８又は蛇腹構造９の２箇所とスケルトン天井から延びる吊り棒２本とを結合する態様が好ましい。
【００１６】
本発明の標識用パネル部材は、表示パネルの少なくとも１枚に、標識が付される。
標識としては、避難誘導、行き先案内、催物案内、注意喚起、商品広告や店舗案内等が挙げられる。
表示パネルに標識を付す方法は、例えば、表示パネルの表面に標識を印刷すること、表示パネルの表面に標識が記載されたシールを貼ること、標識が印刷された紙又はシートが出し入れ可能な透明のポケットを表示パネルの表面上に設け、該ポケットの中に標識が印刷された紙又はシートを挿入すること等により達成することができる。
図４に、本発明の標識用パネル部材による標識の１例として、標識が店舗案内の１種のトイレの場所表示である態様を示した。
この態様で示されるように、本発明の標識用パネル部材１は、空気調節機を覆うようにして天上板１０と空気調節機の下部のパネル４の間に設置される。
【００１７】
本発明の標識用パネル部材を実施した際のイメージ図を図５に示した。
この態様は、床から空気調節機までの距離が２．８〜５．５ｍとなる、一般的な店舗を想定しており、この際、標識用パネル部材の４枚の表示パネルの傾き角度は、空気調節機を中心とする３ｍ、６ｍ及び１０ｍの円の位置から見上げた際、本発明の標識用パネル部材に記載された標識の内容を判別できるような角度となる。
【符号の説明】
【００１８】
１：標識用パネル部材
２：空気調節機
３：吊り棒
４：空気調節機の下部のパネル
５：表示パネル
６：マチ部
７：固定具
８：折畳構造
９：蛇腹構造
１０：天上板
【図１】
2015011264.tif 000003
【図２】
2015011264.tif 000004
【図３】
2015011264.tif 000005
【図４】
2015011264.tif 000006
【図５】
2015011264.tif 000007